(57)【特許請求の範囲】
【請求項１】
腕時計支持部材（２）を備える腕時計陳列アセンブリであって、前記腕時計支持部材（２）を直角に交わる２本の軸（Ｘ−Ｘ；Ｙ−Ｙ）を中心に回転するように配置し、
前記腕時計支持部材（２）は、基台（１０）に配置する回転プレート（８）に固定する２つの支柱（６）の間に回転式に取り付けるリング（４）であることを特徴とする腕時計陳列アセンブリ。
【請求項２】
前記腕時計支持部材（２）の前記２本の回転軸（Ｘ−Ｘ；Ｙ−Ｙ）は、それぞれ水平および垂直方向に延びていることを特徴とする、請求項１に記載の陳列アセンブリ。
【請求項３】
前記腕時計支持部材（２）の中心は、前記２本の回転軸（Ｘ−Ｘ；Ｙ−Ｙ）の交点であることを特徴とする、請求項２に記載の陳列アセンブリ。
【請求項４】
前記回転プレート（８）は前記陳列アセンブリ（１）の前記基台（１０）内に収容する第１のモータ（１６）によって回転式に駆動することと、前記腕時計の支持リング（４）は前記回転プレート（８）に取り付ける第２のモータ（２２）によって駆動することとを特徴とする、請求項１から３のいずれか１項に記載の陳列アセンブリ。
【請求項５】
前記第１のモータ（１６）は、前記支柱（６）のどちらか一方の厚み内部に収容するベルト（１８）を駆動し、該ベルトは前記支柱（６）の最上部で、前記リング（４）を前記支柱（６）に組み込むのに使用するピン端子（１２）の外側、および前記支柱（６）の前記基台に配置する前記第１のモータのアーバと一体化しているプーリ（２０）の外側を通過することと、前記第２のモータ（２２）は歯車（２４）を駆動するのに対し、該歯車は前記回転プレート（８）の周縁全体にわたって配置する円周歯（２６）とかみ合うこととを特徴とする、請求項４に記載の陳列アセンブリ。
【請求項６】
前記リング（４）および前記回転プレート（８）は、前記陳列アセンブリ（１）の前記基台（１０）内に収容する単一のモータによって回転式に駆動することを特徴とする、請求項１から３のいずれか１項に記載の陳列アセンブリ。
【請求項７】
前記単一のモータ（３２）は、前記回転プレート（８）の周囲全体に広がる円周歯（３６）とかみ合う歯車（３４）を駆動することと、前記回転プレート（８）は、回転アーバ（３８）を運搬し、該回転アーバには強固に取り付けた歯車（４０）があり、該歯車は、前記基台（１０）内部の円周に沿って配置する固定円周部歯（４２）に沿って回転し、前記歯車（４０）が前記回転アーバ（３８）に固定する第１の円錐ピニオン（４４）を駆動すると、該ピニオンはプーリ（５０）との共通アーバ（４８）に取り付けた第２の円錐ピニオン（４６）を駆動し、前記プーリの外側をベルト（５２）が通過し、前記ベルト（５２）は、前記支持リング（４）を運搬するピン端子（１２）に取り付ける第２のプーリ（５４）の外側を通過することとを特徴とする、請求項６に記載の陳列アセンブリ。
【請求項８】
前記モータ（１６、２２；３２）には、電力グリッドまたは太陽電池で充電するバッテリを用いて給電することを特徴とする、請求項４から７のいずれかに記載の陳列アセンブリ。
【発明の詳細な説明】
【技術分野】
【０００１】
本発明は、腕時計陳列アセンブリに関する。さらに詳細には、本発明は、自動巻腕時計用の陳列アセンブリに関する。
【背景技術】
【０００２】
通常腕時計は、小売店のディスプレイウインドウに陳列し、文字盤が潜在的顧客に見えるような向きにする。これは、時計のムーブメント全体または一部が見えるようにシースルーバックになっている場合、特にロータを用いる自動巻機構である場合は不利である。それは、裏蓋が腕時計の裏側にあるため、ムーヴメントが通行人には見えないからである。
【０００３】
この問題に対する１つの解決策が、同じ腕時計を並列に陳列し、一方を文字盤側が見えるように、もう一方を裏蓋側が見えるようにするという方法である。しかしこの方法は、ウインドウディスプレイ内に利用できる十分なスペースを必要とし、陳列する腕時計の各モデルに適用するのは困難である。
【０００４】
もう一つの解決策が、腕時計の裏側を通行人に見せるために、鏡を使用するという方法である。しかしこの方法では、腕時計を鏡に対してきわめて正確な方法で配置する必要があるため、時間がかかって難儀である。その上、腕時計に対する潜在的顧客の位置および顧客が見る方向によっては、視覚的な変形効果が生じる可能性がある。アセンブリによっては、潜在的購入者が鏡に映る腕時計を見ることさえできないものもある。
【発明の概要】
【発明が解決しようとする課題】
【０００５】
本発明の目的は、潜在的購入者が、陳列する腕時計の文字盤がある正面も、腕時計の裏蓋がある裏面も、視覚的問題なく動的に見ることができる腕時計陳列アセンブリを提供することによって、前述の欠点を克服することである。
【課題を解決するための手段】
【０００６】
したがって本発明は、腕時計の支持部材を含む腕時計陳列アセンブリであって、前記支持部材を直角に交わる２本の軸に沿って回転するように配置する腕時計陳列アセンブリに関する。
【０００７】
これらの特徴により、本発明は、腕時計を動的かつ魅力的な方法で陳列する腕時計陳列アセンブリを提供する。さらに、本発明によるこの陳列アセンブリは、陳列する腕時計を文字盤側からも裏蓋側からもどちらも交互に見えるように陳列することができるため、潜在的購入者は陳列している腕時計のさまざまな技術的特徴および美的特徴を正確に評価することができる。その上、自動巻腕時計の設計では腕時計は常時稼働しているため、この設計によりロータで香箱ゼンマイを巻き上げる。したがって、本発明の陳列アセンブリを用いて街頭に陳列した自動巻腕時計は、常に正しい時間にセットされる。
【０００８】
本発明の補足的特徴によれば、腕時計支持部材の２本の回転軸は、それぞれ水平および垂直方向に延びている。
【０００９】
本発明のもう一つの特徴によれば、腕時計支持部材の中心は、２本の回転軸の交点である。
【００１０】
本発明のさらにもう一つの特徴によれば、腕時計支持部材は、基台に配置する回転プレートと一体化する２つの支柱の間に回転式に取り付けるリングである。
【００１１】
本発明の第１の変形例によれば、リングおよびプレートは、陳列アセンブリの基台内に収容する単一のモータによって回転式に駆動する。
【００１２】
本発明の第２の変形例によれば、回転プレートは陳列アセンブリの基台内に収容する第１のモータによって回転式に駆動し、腕時計の支持リングは回転プレートに取り付ける第２のモータによって駆動する。
【００１３】
本発明のさらにもう一つの特徴によれば、モータは、電力グリッドまたは太陽電池で充電するバッテリを用いて給電する。
【００１４】
本発明のその他の特徴および利点は、本発明による腕時計陳列アセンブリの一実施形態に関する以下の詳細な説明文から明らかになるが、これらについて添付の図面を参照して説明する。
【図面の簡単な説明】
【００１５】
【図１】本発明による腕時計陳列アセンブリの斜視図である。
【図２】腕時計の支持リングを水平軸に沿って回転させるベルト及びプーリ駆動装置の横断面図である。
【図３】プレートを回転式に駆動する手段を示す陳列アセンブリの基台の上面図である。
【図４】陳列アセンブリの基台内に収容する単一のモータであり、腕時計の支持リングおよびプレートを同時に回転式に駆動するモータの概略図である。
【発明を実施するための形態】
【００１６】
図１は、本発明による陳列アセンブリの斜視図である。明細書を通して符号１をとした陳列アセンブリは、腕時計支持部材２を備えている。図示した例では、この支持部材２はリング４の形状であり、２つの支柱６の間に回転式に取り付け、支柱は陳列アセンブリ１の基台１０に配置する回転プレート８にしっかりと固定する。
【００１７】
リング４は、２つのピン端子１２を用いて２つの支柱６の間に取り付け、ピン端子はリング４の両側に対極に設ける２つの孔に挿入する。この２つのピン端子１２は、リング４を回転させる水平軸Ｘ−Ｘを決定するものである。リング４は、腕時計を固定する２つのストリップ１４も備えている。
【００１８】
支柱６は、回転プレート８の表面に垂直に立ち、水平に広がる円盤の形をしたプレート８の上に互いに対極に配置する。この回転プレート８は、リング４を回転させる垂直軸Ｙ−Ｙを決定するものである。
【００１９】
図から、水平軸Ｘ−Ｘと垂直軸Ｙ−Ｙとの２つの回転軸の交点はリング４の立体的中心と一致することがわかるであろう。
【００２０】
図２は、腕時計の支持リング４を水平軸Ｘ−Ｘに沿って回転させる駆動装置の横断面図である。この駆動装置は、回転プレート８に取り付けて該プレート８と一緒に回転する第１のモータ１６を備えている。この第１のモータ１６は、回転プレート８の厚み内部に収容して外から見えないようにする。駆動装置は、直接または歯車列を介してベルトを駆動し、ベルトは支柱６のどちらか一方の内部に収容する。このベルト１８は、支柱６の最上部にあるピン端子１２の外側、および支柱６の基台に配置するモータ１６のアーバと一体化しているプーリ２０の外側を通過する。
【００２１】
図３は、回転プレート８を回転式に駆動する手段を示す陳列アセンブリ１の基台１０の上面図である。この駆動手段は、基台１０の容積内に収容する第２のモータ２２を備えている。この第２のモータ２２は歯車２４を駆動し、この歯車は、回転プレート８の周縁全体にわたって配置する円周歯２６とかみ合う。
【００２２】
第１および第２のモータ１６および２２には、電力グリッドからの電流で給電するか、回転プレート８の表面に配置する太陽電池を用いて給電し、モータ１６および２２のそれぞれにバッテリを接続する。モータ１６、２２を電力グリッドで給電する場合、陳列アセンブリ１には電気スイッチ２８およびアウトレット３０を設ける。
【００２３】
変形例によれば、腕時計の支持リング４は、単一のモータ３２を用いて２つの回転軸Ｘ−ＸおよびＹ−Ｙに沿って駆動してもよい。図４はこの実施形態の概略図であり、ここでは単一のモータ３２を陳列アセンブリ１の基台１０内に収容し、腕時計の支持リング４および回転プレート８を同時に回転式に駆動する。したがって、単一のモータ３２は、回転プレート８の周囲全体に広がる円周歯３６とかみ合う歯車３４を駆動する。回転プレート８は回転アーバ３８を運搬し、このアーバには歯車４０を強固に取り付ける。プレート８が回転すると、歯車４０は、基台１０内部の円周に沿って配置する固定円周歯４２に沿って回転する。プレートが回転すると、歯車４０は回転アーバ３８と一体化した第１の円錐ピニオン４４を駆動する。すると、この第１の円錐ピニオン４４は、プーリ５０との共通アーバ４８に取り付けた第２の円錐ピニオン４６を駆動し、このプーリの外側をベルト５２が通過する。ベルト５２は、支持リング４を運搬するピン端子１２に取り付ける第２のプーリ５４の外側を通過する。
【図１】
0005409823.tif 000002
【図２】
0005409823.tif 000003
【図３】
0005409823.tif 000004
【図４】
0005409823.tif 000005